(57)【要約】      （修正有）【課題】  生ごみ処理機の処理及び生ごみ投入時に漏れる悪臭を効率よく屋外に排出することにより生ごみ処理機の屋内設置を可能にする生ごみ処理機室内設置ユニット並びに室内で発生する漬物等の臭気を効率よく外部に排気することができるユニットを提供する。【解決手段】  生ごみ処理機本体の基部を包囲するように立設された下部カバー１２を備え、該下部カバーの内部に水平に配設された生ごみ処理機本体載置基礎台座１１であって、該基礎台座が所要数の通気孔を備え、かつ床面Ｆとの間に通気のための空間１１Ｕを有し、そして前記基礎台座下の通気のための空間と屋外とを連通させるためのエアーフィルタ１６及びシャッター１８を含む通気管１４を備える吸気・基礎手段と、生ごみ処理機本体の上方を少なくとも部分的に包囲するフード２２と、該フードの天板の下方で生ごみ処理機本体の上方部の壁Ｗに屋外に連通する排気管２６および排気ファン２４を備えた排気手段２１と、により構成される。【選択図】  図１
2005329352.tif 000002
【特許請求の範囲】
【請求項１】
生ごみ処理機本体の基部を包囲するように立設された下部カバーを備え、該下部カバーの内部に水平に配設された生ごみ処理機本体載置基礎台座であって、該基礎台座が所要数の通気孔を備え、かつ床面との間に通気のための空間を有し、そして前記基礎台座下の通気のための空間と屋外とを連通させるための、エアーフィルタおよびシャッターを含む通気管を備える吸気・基礎手段と、生ごみ処理機本体の上方を少なくとも部分的に包囲するフードと、該フードの天板の下方で生ごみ処理機本体の上方部の壁に屋外に連通する排気管および排気ファンを備えた排気手段と、を具備することを特徴とする生ごみ処理機室内設置ユニット。
【請求項２】
生ごみ処理機本体の基部を包囲するように立設された下部カバーを備え、該下部カバーの内部に水平に配設された生ごみ処理機本体載置基礎台座であって、該基礎台座が所要数の通気孔を備え、かつ床面との間に通気のための空間を有し、そして前記基礎台座下の通気のための空間と屋外とを連通させるための、エアーフィルタおよびシャッターを含む通気管を備える吸気・基礎手段と、生ごみ処理機本体の上方を少なくとも部分的に包囲するフードであって、屋外に連通する排気管および排気ファンを備えたフードを有する排気手段と、を具備することを特徴とする生ごみ処理機室内設置ユニット。
【請求項３】
前記フードが、生ごみ処理機本体の上方を覆う構造である、ことを特徴とする請求項１又は２のいずれかに記載の生ごみ処理機室内設置ユニット。
【請求項４】
前記フードが、生ごみの投入および所要操作を阻害するおそれのある部位を除き生ごみ処理機の上方から中間までを覆う構造である、ことを特徴とする請求項１又は２のいずれかに記載の生ごみ処理機室内設置ユニット。
【請求項５】
前記フードが、生ごみの投入および所要操作を阻害するおそれのある部位を除いて、生ごみ処理機の基部まで覆う構造である、ことを特徴とする請求項１又は２のいずれかに記載の生ごみ処理機室内設置ユニット。
【請求項６】
少なくとも生ごみ投入口の開放時に排気手段に配設された前記排気ファンを作動させ、生ごみ投入口の閉鎖後に適宜遅延時間を経て停止するように制御する、ことを特徴とする請求項１ないし５のいずれかに記載の生ごみ処理機室内設置ユニット。
【請求項７】
前記吸気・基礎手段に設置された通気管のシャッターを、前記排気ファンの運転に連動させ排気ファン作動時にのみ開放するように運用する、ことを特徴とする請求項１ないし６のいずれかに記載の生ごみ処理機室内設置ユニット。
【請求項８】
前記通気管、前記シャッターに加えて、前記排気ファンと連動する小容量の吸気ファンを通気管内に付加する、ことを特徴とする請求項１ないし７のいずれかに記載の生ごみ処理機室内設置ユニット。
【請求項９】
生ごみ処理機室内設置ユニットの主要部材であるフードおよび吸気・基礎台座は、プラスチック、金属、木質材等の適宜素材ないしはこれらの組合わせによって構成される、ことを特徴とする請求項１ないし８のいずれかに記載の生ごみ処理機室内設置ユニット。
【請求項１０】
前記フードの開放部位の全面又は一部に上下動又は巻上げ可能な覆いを配設する、ことを特徴とする請求項１ないし９のいずれかに記載の生ごみ処理機室内設置ユニット。
【請求項１１】
ペットトイレ、漬物等の臭気発生源を包囲するように立設された下部カバーを備え、該下部カバーの内部に水平に配設された該臭気発生源載置基礎台座であって、該基礎台座が所要数の通気孔を備え、かつ床面との間に通気のための空間を有し、そして前記基礎台座下の通気のための空間と屋外とを連通させるための、エアーフィルタおよびシャッターを含む通気管を備える吸気・基礎手段と、前記臭気発生源の出し入れを阻害するおそれのある部位を除いて、臭気発生源の上方のみ又は上方から臭気発生源載置基礎台座に至るまで包囲するフードであって、屋外に連通する排気管および排気ファンを備えたフードを有する排気手段と、を具備することを特徴とする室内臭気排出ユニット。
【請求項１２】
前記フードの開放部位の全面又は一部に上下動又は巻上げ可能な覆いを配設する、ことを特徴とする請求項１１に記載の室内臭気排出ユニット。
【発明の詳細な説明】
【技術分野】
【０００１】
本発明は、野菜、魚類、肉類、穀類、果物類その他の調理屑またはその他日常生活において発生する廃棄物を含む生ごみを、乾燥によってその容積を低減する乾燥形又は微生物の働きにより分解するバイオ形またはこれらの両機能を備えたハイブリッド形等の各種生ごみ処理機を、使用上便利である室内に設置するための生ごみ処理機室内設置ユニットに関するものである。
【背景技術】
【０００２】
一般家庭における日常生活において、主として台所における調理屑を主体とする生ごみが多量に発生する。通常、これらの処分に責任を有する各地方自治体はその収集、搬送、焼却又は埋設等の最終処分に対して多大の経費が嵩んで、他財政を圧迫することになり、その軽減が強く求められている。このような生ごみを低減するための方策として、土壌細菌の助けを借りて堆肥化するための無底プラスチック容器である「コンポスト容器」が出現し、地方自治体によってはその設置に対して補助金を支給して、生ごみの低減を図っている。
【０００３】
しかしながら、このような底部が開放されたプラスチック容器は、農地や広い庭がある場合に限って有効なものであり、都市部や住宅密集地において利用することは不可能に近い。特に、住宅密集地の戸建住宅や元来庭を持たないアパート、公営住宅、マンションなどの集合住宅においては利用不可能である。このような事情を考慮して、密閉可能な容器内において生ごみを撹拌しながら温風乾燥させて容積を大幅に低減する乾燥形の生ごみ処理機や、容器内に好気性高温菌（微生物）を担持させたバイオチップを生ごみと共に収蔵し、温風を加えながら撹拌することにより分解するバイオ形生ごみ処理機、これらの機能を並存せしめたハイブリッド形生ごみ処理機などが多数出現している。
【０００４】
これら生ごみ処理機は、主として生ごみの発する臭気が排出されるか否かによって、屋内設置形、屋外設置形、屋内外両用形に分けられる。一旦生ごみを投入すれば乾燥過程が進行するまで蓋を開けなくともよい乾燥形では、屋内設置が可能であるが、処理能力は限定される。一方、多量の生ごみ処理が可能な微生物による分解には、空気の循環が必要となり屋外設置形となるものが多い。
【０００５】
生ごみ処理機が屋外に設置されていると、特に荒天時、寒冷時、夜間等の悪条件下における生ごみ投入にあたりその都度屋外に出なければならないことから面倒であるばかりでなく、エアコン作動時の冷気または暖気が流出してエネルギーロスが大きくなる。また高齢者、病弱者、小児、その他日常の行動上何らかの制約を受ける利用者にあっては、生ごみ投入の都度屋外に出ることは、健常者以上に抵抗があり、廃棄物低減や有機肥料生成に多大の効果を発揮する折角の生ごみ処理機の利用が制限されることになる。そのため、生ごみ処理機の使い勝手を向上させつつ快適な室内雰囲気を形成するためには、可能な限り屋内設置が望ましい。
【０００６】
このような生ごみ処理機に関する特許文献１は、ユニットキッチンのガスコンロ台下部空間にハイブリッド形生ごみ処理機を内蔵せしめ、ガス温水器で昇温された温水を往復加熱管内に循環させて加熱することにより乾燥すると同時に高温菌により微生物分解処理が行われる。この生ごみ処理機はユニットキッチンに組み込まれるため、台所またはその付近において発生した生ごみを手軽に投入して処理することができ、発生する悪臭もコンロ台上部のレンジフード上に設置された排気ファンにより排気される利点がある。しかし、ユニットキッチン全体を入れ替える必要がある。新規建築物であればともかく、改造の場合には極めて大きな設置費用を要することになる。特許文献２は、生ごみ処理室に垂直の中空回転軸を設け、この回転軸を介して処理室の底部から温風を導入する構造を採用することにより、回転軸の回転継手と軸封装置とを省略しながら処理効率の向上を図ることができる生ごみ処理機の構造を開示している。このような構造の生ごみ処理機を屋内に設置するには、処理室上方に設置される排出管からの排気を屋外に排出するための排気手段が不可欠となる。特許文献３は、生ごみ処理機の排気路内に結露が生じた場合に結露水を効率よく除去し、排気風量の低下を防ぐ構造を開示している。この構造でも屋内に設置するに当たっては、排気を屋外に排出する排気手段が必要となる。なお、この種の排気手段は、理論的には強力な排気ファンを設置することにより対応することは可能であるが、例えば一般住宅において過度に大きな排気ファンを用いることは電力消費、騒音発生、室内空気の過剰排出等の問題があり、好ましくない。殊に、エアコンその他の暖冷房機器により空気調和が行われているような状況下にあっては、室内の暖気・冷気が過度に排出されることになり、省エネルギーの観点からも望ましいものではない。
【特許文献１】特開平８−１８２５４７号公報
【特許文献２】特開２００４−３３８１０号公報
【特許文献３】特開２００４−８２０１０号公報
【０００７】
また、一般家庭の室内においてペットが飼育されている例が現在多くみられる。この場合、ペットはペットトイレに排尿、排便するように飼育され、ペットトイレは消臭剤による消臭処理がなされてはいるが臭気排出は十分ではない。また一般家庭において自家製の漬物を作るための漬物樽が室内に置かれる場合もあるが、漬物から発生する臭気の排出が望まれている。その他室内の臭気を効率よく排出できるユニットが望まれているが有効なシステムは見受けられない。
【発明の開示】
【発明が解決しようとする課題】
【０００８】
本発明は上記事情を勘案して、生ごみ処理機の処理排気はもとより、生ごみ投入時に漏れる悪臭を効率よく屋外に排出することにより屋内形または屋外形の如何を問わず生ごみ処理機の屋内設置を可能にする生ごみ処理機室内設置ユニットを提供することを課題とする。また、本発明は漬物等の室内で発生する臭気を効率よく外部に排気することができるユニットを提供する。
【課題を解決するための手段】
【０００９】
本発明の課題は、生ごみ処理機本体Ｏの基部を包囲するように立設された下部カバー１２を備え、該下部カバーの内部に水平に配設された生ごみ処理機本体載置基礎台座１１であって、該基礎台座が所要数の通気孔を備え、かつ床面Ｆとの間に通気のための空間１１Ｕを有し、そして前記基礎台座下の通気のための空間と屋外とを連通させるための、エアーフィルタ１６およびシャッター１８を含む通気管１４を備える吸気・基礎手段１０と、生ごみ処理機本体Ｏの上方を少なくとも部分的に包囲するフード２２と、該フード２２の天板の下方で生ごみ処理機本体Ｏの上方部の壁に屋外に連通する排気管２６および排気ファン２４を備えた排気手段２１と、を具備する生ごみ処理機室内設置ユニットによって解決される。
【００１０】
また本発明の課題は、生ごみ処理機本体Ｏの基部を包囲するように立設された下部カバー１２を備え、該下部カバーの内部に水平に配設された生ごみ処理機本体載置基礎台座１１であって、該基礎台座が所要数の通気孔を備え、かつ床面Ｆとの間に通気のための空間１１Ｕを有し、そして前記基礎台座下の通気のための空間と屋外とを連通させるための、エアーフィルタ１６およびシャッター１８を含む通気管１４を備える吸気・基礎手段１０と、生ごみ処理機本体Ｏの上方を少なくとも部分的に包囲するフードであって、屋外に連通する排気管２６および排気ファン２４を備えたフード２２を有する排気手段２０と、を具備する生ごみ処理機室内設置ユニットによってさらに有利に解決される。
【００１１】
本発明に係る前記フード２２は、生ごみ投入を阻害しない構造および形状であり、少なくとも生ごみ投入口付近は手軽な投入処理および所要操作が可能な構造で、容易に展開可能であることが望ましい。しかし、フード２２の構造は、生ごみ処理機の上方のみ、あるいは生ごみ投入や操作に必要となる前面を除く垂下壁面を生ごみ処理機の中間まで、さらには下端の吸気・基礎手段の下部カバー１２に達するまで垂下する構造とすることができる。また、フード２２の下端部と、前記吸気・基礎手段１０の上端との間に間隔を置くことも可能であるが、この場合はフード下端の輪郭が下部カバー１２の上端部輪郭よりも大きな外周を有することが望ましい。
【００１２】
本発明に係る生ごみ処理機室内設置ユニットにあっては、少なくとも生ごみ投入口の開放時に排気手段２０、２１内に配設された排気ファン２４を運転し、生ごみ投入口の閉鎖後に適宜遅延時間を経て停止するように制御することが望ましい。また、前記吸気・基礎手段１０に設置された通気管１４のシャッター１８を前記排気ファン２４の運転に連動させ、排気ファン作動時にのみ開放するように運用すると都合がよい。なお、前記通気管１４にはシャッター１８の開閉のみによる受動的吸気に加えて、前記排気ファン２４と連動する小容量の吸気ファンを付加することにより、さらに能動的かつより最適状態で室内・外の気圧が平衡するような吸気を行うように構成することも可能である。
【００１３】
なお、屋外形生ごみ処理機では生ごみ処理機背面に処理槽内からの排気口が設けられることが多いが、本発明に適用する生ごみ処理機においては、このような排気口に合わせて壁面に直接、またはダクトを介して、生ごみ処理機内で発生する臭気を上部排気口を経て屋外に排出する排気手段３０を別途設置することが望ましい。
【００１４】
本発明に係る生ごみ処理機室内設置ユニットの主要部材であるフード２２および吸気・基礎台座１１は、プラスチック、金属、木質材等の適宜素材を単独で、あるいは適宜組合わせて構成することができる。また、前記フードの前面などのフード壁開放部には軟質素材による覆い（カーテン）Ｃを垂下させることも可能である。このような覆いの一部、例えば生ごみ処理機本体の正面部分を分離して上下動または巻上げ可能の構造とし、あるいは複数枚を部分的に重ね合わせた暖簾状等に形成することができる。かかる覆いを設けることにより、臭気や空気流の調整には大きな効果を発揮するが、生ごみの投入、処理内容物の取り出し、生ごみ処理機本体の日常手入れ等には大きな障害とならない構成とすることが必要となる。
【００１５】
また、本発明に係るユニット内に臭気発生源としての生ごみ処理機に代えて、室内において悪臭を発生するペットトイレ、漬物等を収容する構成とすることができる。すなわち、第２の発明は、ペットトイレ、漬物等の臭気発生源を包囲するように立設された下部カバー１２を備え、該下部カバーの内部に水平に配設された該臭気発生源載置基礎台座１１であって、該基礎台座が所要数の通気孔を備え、かつ床面との間に通気のための空間１１Ｕを有し、そして前記基礎台座下の通気のための空間と屋外とを連通させるための、エアーフィルタ１６およびシャッター１８を含む通気管１４を備える吸気・基礎手段１０と、前記臭気発生源の出し入れを阻害するおそれのある部位を除いて、臭気発生源の上方のみ又は上方から臭気発生源載置基礎台座に至るまで包囲するフードであって、屋外に連通する排気管２６および排気ファン２４を備えたフード２２を有する排気手段２０と、を具備することを特徴とする室内臭気排出ユニットである。
【００１６】
なお、前記排気ファン２４の作動、停止を制御する構成、通気管のシャッター１８を排気ファン２４の運転に連動させて排気ファン作動時にのみ開放するように運用する構成、前記通気管及びシャッターに加えて前記排気ファンと連動する小容量の吸気ファンを通気管内に付加する構成、並びに前記フードの開放部位の全面又は一部に上下動又は巻上げ可能な覆いを配設する構成は、前述した発明と同様である。
【発明の効果】
【００１７】
本発明に係る生ごみ処理機室内設置ユニットによれば、生ごみ投入時その他の臭気発散の可能性が高い状態の時に排気手段又は排気手段のフードに配設されている排気ファンを作動させることにより、投入動作時の生ごみ自体の臭気ならびに生ごみ処理機内部から発散される可能性のある臭気を効率よく屋外に排気することができ、屋内設置形はもとより、設計上は屋外形とされている生ごみ処理機の屋内設置も可能となる。
【００１８】
また、排気ファンの運転に連動させて下部カバーに設置されている通気管のシャッターを開放し、さらに小容量の吸気ファンが付加されている場合はこのファンを連動させて運転することにより、排気ファンの排気量との関係で所要量の外気が導入され、室内空気が排気手段を介して過度に外部に排出される事態を防止することができる。その結果、エアコンにより適温に調整された室内空気、特に比重の関係で床付近に集まる冷気の過剰排出が抑制され、省エネ効果が期待できる。
【００１９】
本発明に係る生ごみ処理機室内設置ユニットを使用するにあたっては、排気手段又は排気手段のフードに配設された排気ファンの作動タイミングが重要であるが、生ごみ処理機の投入口蓋の開放前に予め操作して、または蓋解放動作に僅かに先行して自動的に作動せしめるように構成することができる。例えば、このファンの排気動作と連動して吸気・基礎手段に設置されている屋外への連通管内のシャッターを開放させあるいは付加されている吸気ファンを起動するように制御されることが望ましい。その結果、上部のフードと吸気・基礎手段の下部カバーとによって包囲される生ごみ処理機本体設置立体空間内を、ほぼ平衡圧状態に保ちながら移動する上方に流動する気流が形成され、生ごみ処理機周囲の臭気を効率よく屋外に排出することができる。そのため、従来は周囲への臭気放散が不可避であることから屋外設置専用とされていた屋外形生ごみ処理機であっても室内設置が可能となる。
【００２０】
また、本発明に係る生ごみ処理機室内設置ユニットは、ここではユニットに収容する対象を生ごみ処理機を主体として開示しているが、その用途は特に限定されるものではなく、同様のユニットの構成によって広範な対象物に対して応用可能である。ほとんど同様の構成により、多くの臭気発生源による各種臭気、例えば、漬物樽、ぬか味噌漬け、たくわん漬け、キムチその他の漬物類、各種発酵物体、臭気の強い食材・野菜類、ペットトイレ等の室内飼育ペット類関連物品、汚物関連物品等を保管するための空間を形成することも可能であり、多種多様の応用が可能である。
【発明を実施するための最良の形態】
【００２１】
次に、本発明に係る生ごみ処理機室内設置ユニット及び室内臭気排出ユニットを実施するに適する構成ならびにその動作について開示する。図１は本ユニットの第１の実施の形態の基本構成を示す側面図である。このユニットは、床面Ｆに接する吸気・基礎手段１０と、生ごみ処理機本体Ｏの上方を少なくとも部分的に包囲するフード２２と、該フード２２の天板の下方で生ごみ処理機本体上方部の壁Ｗに配設された排気管２６および排気ファン２４を備える排気手段２１と、から構成される。
【００２２】
また、図２は本ユニットの第２の実施の形態の基本構成を示す側面図であり、床面Ｆに接する吸気・基礎手段１０と、生ごみ処理機本体上方の壁Ｗに配設された、屋外に連通する排気管２６及び排気ファン２４を備えたフード２２を有する排気手段２０と、の両基本要素から構成される。
【００２３】
吸気・基礎手段１０は、生ごみ処理機本体Ｏの基部を、周囲に間隔をあけて包囲するように立設された下部カバー１２を備え、該下部カバー１２の内部には生ごみ処理機本体を載置するために水平に配設された通気孔付きの基礎台座１１が設けられる。この基礎台座１１は、生ごみ処理機本体Ｏの底部および外周に沿って所要数の通気孔を備え、かつ床面Ｆとの間に通気空間１１Ｕが形成される。このように形成された通気空間１１Ｕには、屋外と連通させるために、エアーフィルタ１６およびシャッター１８を備えた通気管１４を含む連通手段が形成される。
【００２４】
本ユニットの第１の実施の形態においては、図１に示すように、生ごみ処理機本体Ｏの上方を包囲するフード２２を、生ごみ処理機本体Ｏ上方部の適宜高さの壁Ｗに固定、または少なくとも前面及び排気手段２１の設置部分を除く周壁を床面Ｆから立設して形成し、排気管２６と排気ファン２４を備えた排気手段２１をフード２２の天板の下方で生ごみ処理機本体上方部の壁Ｗの適宜部位に配設する。この場合、フード２２の上方には台所用品等を収納する収納棚を配設することができる。
【００２５】
また、本ユニットの第２の実施の形態においては、図２に示すように、排気手段２０は、生ごみ処理機本体Ｏの少なくとも上方を覆うフード２２、排気ファン２４及び排気管２６を備えている。なお、フード２２の前面を除く２点差線で示す周壁Ｓは、図の一点鎖線で示すように、生ごみ処理機本体Ｏの中間（床面Ｆから高さＨ’）まで垂下させてもよく、さらに下部カバー２２に接する（床面Ｆから高さＨ）まで垂下させてもよい。また、生ごみ処理機の上方のみを覆うように構成してもよい。そのため、排気手段２０は伸縮部２８を備えている。
【００２６】
吸気・基礎手段１０の下部カバー１２は、生ごみ処理機本体Ｏの基部周縁を包囲するように設置可能な形状で、円形、楕円形、方形、面取りされた方形または多角形等の輪郭を有する構造体として構成される。下部カバー１２の内部に配設される通気孔付きの基礎台座１１と床面Ｆとの間に形成される通気用空間１１Ｕには、外気からの塵埃やその他の不所望気体成分の侵入を阻止するためのエアーフィルタ１６および選択的に開閉可能なシャッター１８が備えられており、屋外と連通する通気管１４が接続される。下部カバー１２の上縁付近１３は僅かに内側に折り曲げられている。このような構成によれば、生ごみ処理機本体Ｏの外周に沿ってフード２２に達するような上昇気流の形成にとって都合が良い。なお、生ごみ処理機本体Ｏの形状、寸法、構成等は製造元によって異なり、さらに処理能力によって大きく異なるため、設置対象を選定した後に寸法、構造等を定めて設置を行う必要がある。
【００２７】
本ユニットの第２の実施の形態における生ごみ処理機本体Ｏの上方の排気手段のフード２２は、生ごみの投入ならびに所要操作を阻害しないサイズの下広で上方が狭小となるように絞られた、逆ロート状の構造体で、その上方にはフード２２の下方から上昇してくる気流を屋外に排出するための排気ファン２４が配設される。フード２２の下端部は適用される生ごみ処理機の構造を考慮し、主に操作や生ごみの投入に必要となる前面を除く部分は前記下部カバー１２の上端折り曲げ部１３に接するまで周壁を垂下させる構成とすることができることはもとより、生ごみ処理機本体Ｏの中間に達するような適宜寸法であってもよい。
【００２８】
排気ファン２４は、生ごみの投入その他蓋の開閉等により臭気発生を伴う操作に先立つスイッチ操作により、さらに好ましくは、使用者の接近を感知する人感センサ、生ごみ投入蓋の操作が開始されることを感知するセンサ等の信号により自動的に作動するような自動制御構造とすることができる。なお、排気ファン２４の作動に連動して、前記下部カバー１２と屋外との通気管１４内に配設されるシャッター１８が開放され、自動的に外気取り入れの制御が行われることが好ましい。
【００２９】
また、このシャッター１８に排気ファン２４よりもやや小容量の吸気ファン（図示していない）を設けることにより、より能動的な吸・排気を行うように構成することも可能である。この場合であっても、吸気量が排気量を上回らないように平衡状態を維持する構成であることが望ましい。この際、設置されるエアーフィルタ１６は、外気中の塵埃をはじめ不要または有害な微粒状体や気体類を除去、中和、改変するための触媒などを含むフィルタとするとさらに都合がよい。
【００３０】
図２に示した生ごみ処理機室内設置ユニットにおけるフード２２は、床面Ｆから高さＨの位置に配置されているが、フード２２の床面Ｆからの高さは、Ｈ’のように生ごみ処理機本体Ｏの中間まで、さらには床面近くまで垂下させてもよい。吸気・基礎手段１０は、破線で示した仮想生ごみ処理機本体Ｏの基部の面積よりも広めの面積を有する下部カバー１２、壁Ｗを貫通して後方に張り出している通気管１４、管内において通過空気の塵埃除去を行い、また必要に応じて通過ガス類の吸着・中和を行う触媒機能も備えたエアーフィルタ１６、通気管１４の内部において吸気路の開閉を行うシャッター１８から構成される。
【００３１】
本ユニットの第２の実施の形態における排気手段２０は、下部カバー１２の輪郭よりも大きめの下方開口部を有するフード２２と、このフード２２の上方に内蔵される排気ファン２４と、排気ファン２４の吹出し側に連結され、壁Ｗを貫通する排気管２６とから構成される。図２に示す実施例では、生ごみ処理機本体Ｏの上方のみを覆う構成であるが、フード２２の構造を以下のように改変することも可能である。すなわち、フード２２の前面は生ごみの投入その他の操作の便宜のために少なくとも部分的に開放されている必要があるが、前面以外の周壁は下部カバー１２に達するまで伸張させると臭気拡散を抑制するために都合がよい。
【００３２】
なお、排気管２６は、ここでは短い直管としているが、設置対象となる建築物の構造や立地条件に応じて、寸法および形状の異なるダクトを介するものとすることができる。また、フード２２と排気ファン２４との間にはジャバラ構造や嵌合伸縮管（テレスコピック構造）などによる伸縮部材２８を介在させることにより、固定されている排気管２６の位置にかかわらず、フード２２の高さを任意に調整可能としてもよい。このような構造であれば、生ごみ処理機本体Ｏの搬入・搬出、日常手入れの際にフード２２を上方に移動させておき、作動状態においては適宜高さに降下させることができ、気流状態が最適状態となるように調節することができる。
【００３３】
図３は、フード２２の前面部を除く周壁Ｓが下方に長く伸張されていて、開放された前面部に、軟質材による覆い（カーテン）Ｃを付加した実施例を示すものである。このような構成とすることにより、生ごみ投入動作や生ごみ処理機本体Ｏの清掃、手入れなどを容易にしながら臭気拡散抑制を都合よく実施し得る利点が得られる。なお、この覆いＣは、単に垂下させておくだけでも良いが、例えば巻上・引き降ろしが可能なロールアップ構造、２分割構造等とすることにより、臭気拡散抑制の点で所期の機能を確保しつつ良好な外観を達成することも可能である。
【００３４】
図４は、本発明に係るユニットによる臭気排出のための上昇気流の予測図である。なお、図１も臭気排出のための上昇気流の予測を示している。図に示すように、排気ファンの吸気力により、吸気・基礎手段１０の通気管１４から導入される外気は、通気空間１１Ｕ、基礎台座１１の通気孔を通過して生ごみ処理機本体の基礎部分からその外周に沿って上昇し排気ファンに導入される。生ごみ処理機本体又は生ごみ投入口付近から発生する臭気は、この上昇気流と一緒に効率よく屋外に排出される。なお、生ごみ処理機本体から発生する臭気は、生ごみ処理機背面に設けられる排気手段３０からも屋外に排出される。
【００３５】
このように、本発明に係る生ごみ処理機室内設置ユニットの作動時には、排気ファン２４の吸気力により生ごみ処理機本体の周辺に上昇気流が生じ、臭気も排気ファン２４により排気管２６を経て屋外に排出される。このような上昇気流は、吸気・基礎手段１０の下部における外気導入を制御するシャッター１６と排気ファン２４とを連動させることにより適切に発生させることができる。その結果、生ごみ処理機本体Ｏを包囲する立体空間がほぼ平衡状態に保たれ、室内空気の過剰排出を抑制することが可能となり、室内空気の調和を図りながら臭気の室内拡散を防止することが可能となる。
【産業上の利用可能性】
【００３６】
本発明に係る生ごみ処理機室内設置ユニットによれば、屋内形はもとより一般に大形で処理能力の面で優れている屋外形の生ごみ処理機をも室内設置とすることができる。その結果、大容量のバイオ形生ごみ処理機の、夜間、雨天、寒冷期等における使い勝手が大幅に向上し、さらに高齢者や運動機能に制限のある人々への普及促進が期待できる。このような生ごみ処理機が普及すれば、地方自治体等において処理する一般ごみが大幅に低減され、収集、運搬、焼却または埋設処理等に要する労力および経費の大幅な削減が期待でき、さらにごみ収集車両の運行量も低減されることから大気汚染物質や二酸化炭素排出量低減にまで好影響をもたらすことが期待できる。
【００３７】
さらに、本発明に係るユニットによれば、多くの臭気発生源、例えば、漬物、ペットトイレ等を保管するための空間を室内に形成することが可能となり、漬物の自家製造、ペットの飼育に貢献できる。その他老人等の被介護者の居住空間等の各種臭気発生源に本発明に係るユニットは適用可能であり、多種多様の応用が可能である。
【図面の簡単な説明】
【００３８】
【図１】本発明に係る生ごみ処理機室内設置ユニットの第１の実施例の基本構成を示す側面図である。
【図２】本発明に係る生ごみ処理機室内設置ユニットの他の実施例の基本構成を示す側面図である。
【図３】本発明に係る生ごみ処理機室内設置ユニットのフード部分の変形例を示す斜視図である。
【図４】本発明に係る生ごみ処理機室内設置ユニットにおける臭気排出のための上昇気流の予測図である。
【符号の説明】
【００３９】
１０  吸気・基礎手段
１１  基礎台座
１１Ｕ  通気空間
１２  下部カバー
１３  折り曲げ部
１４  通気管
１６  エアーフィルタ
１８  シャッター
２０  排気手段
２１  排気手段
２２  フード
２４  排気ファン
２６  排気管
２８  伸縮部（伸縮部材）
３０  生ごみ処理機本体の排気手段
Ｆ    床面（床）
Ｗ    壁（壁面）
Ｏ    生ごみ処理機本体
Ｈ、Ｈ’  フード下端高さ
Ｃ    覆い（カーテン）
Ｓ    周壁
【図１】
2005329352.tif 000003
【図２】
2005329352.tif 000004
【図３】
2005329352.tif 000005
【図４】
2005329352.tif 000006